(57)【特許請求の範囲】
【請求項１】
共に封止される前方層および後方層を含む可撓性のあるレンズ閉鎖容器と、
前記可撓性のあるレンズ閉鎖容器内で、かつ前記可撓性のあるレンズ閉鎖容器の中心領域にわたって、前記前方層の凹面側上に配置された第１の可撓性のある導電性電極と、
前記可撓性のあるレンズ閉鎖容器内で、かつ前記中心領域にわたって、前記後方層の凸面側上に配置された第２の可撓性のある導電性電極と、
前記第１の可撓性のある導電性電極と、前記第２の可撓性のある導電性電極の間で、前記中心領域に配置された遠近調節作動器要素と
を備え、
前記第１の可撓性のある導電性電極および前記第２の可撓性のある導電性電極は透明であり、前記第１の可撓性のある導電性電極および前記第２の可撓性のある導電性電極に対して電圧が印加されることにより前記遠近調節作動器要素を電気的に操作し、
前記中心領域周りに配置されるリング基板をさらに備え、
前記第１の可撓性のある導電性電極は、前記中心領域の外側に延び、かつ前記リング基板上の前方接触パッドに接触するように構成された第１接続タブを含み、
前記第２の可撓性のある導電性電極は、前記中心領域の外側に延び、かつ前記リング基板上の後方接触パッドに接触するように構成された第２接続タブを含む、デバイス。
【請求項２】
前記後方層の凹面は、角膜上に取外し可能に取り付けられるように構成され、前記前方層の凸面は、前記後方層の凹面がそのように取り付けられたとき、眼瞼運動と適合性があるように構成される、請求項１に記載のデバイス。
【請求項３】
前記第１の可撓性のある導電性電極および前記第２の可撓性のある導電性電極は、それぞれ、前記前方層および前記後方層に適合する、請求項１に記載のデバイス。
【請求項４】
前記第１の可撓性のある導電性電極および前記第２の可撓性のある導電性電極は、硬化される導電性微粒子のコロイド状懸濁液を含む、請求項１に記載のデバイス。
【請求項５】
前記導電性微粒子は、カーボンナノチューブまたは金属ナノワイヤの一方を含む、請求項４に記載のデバイス。
【請求項６】
前記第１の可撓性のある導電性電極および前記第２の可撓性のある導電性電極は、硬化
される導電性ポリマーまたは導電性シリコンを含む、請求項１に記載のデバイス。
【請求項７】
前記第１の可撓性のある導電性電極を、前記前方接触パッドに電気的に接続するために、前記第１接続タブと前記前方接触パッドの間に配置される第１の可撓性のある導電性接着剤と、
前記第２の可撓性のある導電性電極を、前記後方接触パッドに電気的に接続するために、前記第２接続タブと前記後方接触パッドの間に配置される第２の可撓性のある導電性接着剤と
をさらに備える、請求項１に記載のデバイス。
【請求項８】
前記第１接続タブおよび前記第２接続タブは、互いに回転方向にオフセットされている、請求項１に記載のデバイス。
【請求項９】
前記遠近調節作動器要素は、液晶（「LC」）層を含み、前記ＬＣ層は、前記第１の可撓性のある導電性電極および前記第２の可撓性のある導電性電極よりも、前記中心領域において広いエリアにわたって広がっている、請求項１に記載のデバイス。
【請求項１０】
前記第１の可撓性のある導電性電極および前記第２の可撓性のある導電性電極は、それぞれ、反復して塗布され、かつ硬化される透明な導電性液体の多層構造を備える、請求項１に記載のデバイス。
【請求項１１】
可撓性のあるレンズ閉鎖容器を有するコンタクトレンズを製作する方法であって、
前記可撓性のあるレンズ閉鎖容器の中心領域にわたって、前方層の凹形の内側表面上に液体の導体材料を付着させることと、
前記可撓性のあるレンズ閉鎖容器の前記中心領域にわたって、後方層の凸形の内側表面上に前記液体の導体材料を付着させることと、
前記前方層および前記後方層上の前記液体の導体材料を硬化させて、それぞれ、前記凹形の内側表面上に配置された前方の可撓性のある導電性電極を形成し、前記凸形の内側表面上に配置された後方の可撓性のある導電性電極を形成することと、ここで、前記前方の可撓性のある導電性電極と前記後方の可撓性のある導電性電極が共に透明であり、
前記前方の可撓性のある導電性電極と前記後方の可撓性のある導電性電極との間に液晶材料を供給することと、
前記前方の可撓性のある導電性電極および前記後方の可撓性のある導電性電極、ならびに液晶材料を、前記コンタクトレンズの前記可撓性のあるレンズ閉鎖容器内に格納するために、前記前方層を前記後方層に封止することと
を含み、
前記中心領域周りに配置されるリング基板を形成することをさらに含み、
前記前方の可撓性のある導電性電極を形成することは、前記中心領域の外側に延び、かつ前記リング基板上の前方接触パッドの上に重なる前方接続タブを形成することを含み、
前記後方の可撓性のある導電性電極を形成することは、前記中心領域の外側に延び、かつ前記リング基板上の後方接触パッドの下で重なる後方接続タブを形成することを含む、方法。
【請求項１２】
前記液体の導体材料は、前記凹形の内側表面および前記凸形の内側表面にそれぞれ適合する導電性微粒子のコロイド状懸濁液を含む、請求項１１に記載の方法。
【請求項１３】
前記導電性微粒子は、カーボンナノチューブまたは金属ナノワイヤの一方を含む、請求項１２に記載の方法。
【請求項１４】
前記液体の導体材料は、前記凹形の内側表面および前記凸形の内側表面にそれぞれ適合
する導電性ポリマーまたは導電性シリコンを含む、請求項１１に記載の方法。
【発明の詳細な説明】
【技術分野】
【０００１】
関連出願の相互参照
[0001]  本出願は、「Ａｃｃｏｍｍｏｄａｔｉｎｇ  Ｌｅｎｓ」と題する２０１４年６月１３日に出願された米国特許仮出願第６２／０１２，００５号、および「Ａｃｃｏｍｍｏｄａｔｉｎｇ  Ｌｅｎｓ  Ｏｐｔｉｃｓ  ａｎｄ  Ｍａｔｅｒｉａｌｓ」と題する２０１４年６月１３日に出願された米国特許仮出願第６２／０１２，０１７号に対して、米国特許法第１１９条（e）の規定の下に優先権を主張するものであり、その両方の内容を参照により本明細書に組み込む。
【０００２】
[0002]  本開示は、一般に、光学装置の分野に関し、詳細には、これだけに限らないが、コンタクトレンズに関する。
【背景技術】
【０００３】
[0003]  遠近調節は、様々な距離の対象物に対して焦点を維持するために、眼がその焦点距離を調整するプロセスである。遠近調節は反射作用であるが、意識して操作することもできる。遠近調節は、毛様筋の収縮により制御される。毛様筋は、眼の弾性のある水晶体を取り囲み、弾性のある水晶体の焦点を変化させる筋収縮中に、弾性のある水晶体に対して力を加える。
【０００４】
[0004]  個人が年をとると、毛様筋の有効性が低下する。老眼は、眼の調節力または焦点を合わせる力が、進行性の加齢により失われることであり、近距離において不鮮明さが増加する結果を生ずる。この加齢による調節力の喪失は、よく研究されてきており、比較的一貫した、予測可能なものである。今日、世界中で、約１７億（米国単独では、１億１千万）の人々が老眼にかかっており、その数は、世界の人々が年をとるにつれて大幅に増加することが予想される。老眼の影響を個人が相殺するのを助けることのできる技法およびデバイスが一層求められている。
【発明の概要】
【０００５】
[0005]  本発明の非限定的でありかつ非網羅的な実施形態が、以下の図を参照して述べられる。図中、他の形で指定されない限り、様々な図の全体を通して、同様の参照数字は、同様の部分を指す。図面は、必ずしも縮尺を合わせておらず、示される原理を例示する際には強調させている。
【図面の簡単な説明】
【０００６】
【図１】[0006]本開示の実施形態による、自動遠近調節を提供する眼に取付け可能なデバイスと、眼に取付け可能なデバイスと対話するための外部の読取り装置との機能的なブロック図である。
【図２Ａ】[0007]本開示の実施形態による、眼に取付け可能なデバイスの上面図である。
【図２Ｂ】[0008]本開示の実施形態による、眼に取付け可能なデバイスの斜視図である。
【図３】[0009]本開示の実施形態による、眼に取付け可能なデバイスの様々な構成要素および層を示す分解斜視図である。
【図４Ａ】[0010]本開示の実施形態による、眼に取付け可能なデバイス内の可撓性のある導電性電極の方向付けを示す図である。
【図４Ｂ】本開示の実施形態による、眼に取付け可能なデバイス内の可撓性のある導電性電極の方向付けを示す図である。
【図４Ｃ】本開示の実施形態による、眼に取付け可能なデバイス内の可撓性のある導電性電極の方向付けを示す図である。
【図５】[0011]本開示の実施形態による、眼に取付け可能なデバイス内のリング基板と可撓性のある導電性電極の間の接続を示す側面図である。
【図６】[0012]本開示の実施形態による、２つの可撓性のある導電性電極により制御される液晶遠近調節作動器を備える眼に取付け可能なデバイスを製作するためのプロセスを示す流れ図である。
【発明を実施するための形態】
【０００７】
[0013]  １つまたは複数の可撓性のある導電性層を含む眼に取付け可能なデバイスに対するシステム、装置、および製作方法の実施形態が、本明細書で述べられる。以下の記述では、諸実施形態の十分な理解を提供するために、数多くの特定の細部が述べられる。しかし、当業者であれば、本明細書で述べられる技法は、特定の細部の１つまたは複数のものを使用せずに、または他の方法、構成要素、材料などを用いて実施できることが理解されよう。他の例では、いくつかの態様を曖昧にしないようにするために、よく知られた構造、材料、または動作は詳細に示されていない、または述べられていない。
【０００８】
[0014]  本明細書の全体を通して、「一実施形態」または「実施形態」に対する参照は、その実施形態に関連して述べられた特定の特徴、構造、または特性が、本発明の少なくとも１つの実施形態に含まれることを意味する。したがって、本明細書を通して、様々な場所における「一実施形態では（においては）」、または「実施形態では（においては）」という表現の出現は、必ずしもすべて同じ実施形態を参照するものではない。さらに、特定の特徴、構造、または特性は、１つまたは複数の実施形態において、任意の適切な方法で組み合わせることができる。
【０００９】
[0015]  コンタクトレンズの焦点距離を調整するための遠近調節作動器を含むスマートコンタクトレンズ、または眼に取付け可能なデバイスが本明細書で述べられる。いくつかの実施形態では、遠近調節は、ユーザの注視方向に基づいて、実時間で自動的に調整される。遠近調節作動器は、スマートコンタクトレンズの（例えば、少なくとも中心視覚を含む）中心領域に配置される。したがって、遠近調節作動器の構造的かつ電子的な構成要素が、ユーザの視覚中心の品質を過度に妨げない、または悪化させないことが望ましい。
【００１０】
[0016]  遠近調節作動器は、様々な光電子デバイスで実施することができるが、それぞれは、遠近調節作動器を電子的に制御するための電極が必要になる。したがって、これらの電極は、透明であり、かつ導電性を有するべきである。インジウムスズ酸化物（「ITO」）の高い電気的な伝導性および光学的な透明性により、この材料は、光電子デバイス産業における標準の透明な導電性材料としての位置を占めている。しかし、従来のＩＴＯはもろく、したがって、可撓性のあるコンタクトレンズに十分適しているわけではない。ＩＴＯのもろさは、曲げる、または折り畳むと、その電気的な伝導性を劇的に減少させる。可撓性のあるコンタクトレンズは、ユーザにより操作され、挿入され、かつ装着されたとき、数多くの機械的な折り畳み、および曲げサイクルを受けるので、従来のＩＴＯのもろさは、望ましいものではない。
【００１１】
[0017]  本開示の実施形態は、透明で可撓性のある導電性材料を用いて、光電子式の遠近調節作動器を操作するための電極を形成することにより、可撓性のあるコンタクトレンズでＩＴＯを使用する欠点に対処する。様々な実施形態では、可撓性のある導電性電極材料は、溶剤ベースのものであり、ステンシルスプレー技法、スタンプコーティングプロセス、またはその他のものにより塗布することができる。液体の導体材料を形成するための材料は、スマートコンタクトレンズの可撓性のある閉鎖容器材料上の定位置で硬化される導電性微粒子のコロイド状懸濁液を含む。例示的な導電性微粒子は、カーボンナノチューブ、および金属ナノワイヤ（例えば、銀ナノワイヤ）を含む。他の実施形態では、液体の導体材料は、導電性ポリマー、または導電性シリコンとすることができる。
【００１２】
[0018]  眼に取付け可能なデバイスの実施形態は、電源、制御電子装置、遠近調節作動器、注視方向センサシステム、およびアンテナを含むことができ、すべてのものは、眼に接触して取り付けられるように形成された可撓性のあるレンズ閉鎖容器内に組み込まれる（例えば、角膜に取外し可能に取り付けられ、かつ眼瞼運動が開閉できるように形成される）。一実施形態では、制御電子装置は、センサシステムを監視するように結合されて、注視方向／焦点距離を特定し、眼に取付け可能なデバイスの屈折力を制御するように遠近調節作動器を操作し、かつ外部の読取り装置との無線通信を提供する。いくつかの実施形態では、電源は、組み込まれた電池の電磁誘導式ワイヤレス充電を制御する充電回路を含むことができる。
【００１３】
[0019]  可撓性のあるレンズ閉鎖容器は、ポリマー材料、ヒドロゲル、ＰＭＭＡ、シリコーンベースのポリマー（例えば、フッ素シリコーンアクリレートなど）、またはその他のものなど、人の眼と直接接触するように適合性のある様々な材料から製作することができる。電子装置は、角膜の中心領域の近くに受け入れられた入射光との干渉を回避するように、その周辺に近い可撓性のあるレンズ閉鎖容器内に組み込まれたリング基板上に配置することができる。センサシステムは、センサシステムを覆うまぶたの範囲の量および位置に基づいて、注視方向／焦点距離を検出するように、まぶたの方向の外側に向けて、基板上に配置され得る。まぶたがセンサシステムの様々な位置を覆うと、これは、注視方向および／または焦点距離を求めるために測定できる特性（例えば、その静電容量）を変化させる。
【００１４】
[0020]  いくつかの実施形態では、次に、注視方向／焦点距離情報を使用して、可撓性のあるレンズ閉鎖容器の中心部分に位置する、透けて見える遠近調節作動器を介して適用される遠近調節量を決定することができる。遠近調節作動器は、コントローラに結合され、それにより、１対の可撓性のある導電性電極に電圧を印加することによって電気的に操作される。例えば、遠近調節作動器は、可撓性のある導電性電極に加えられた電気的なバイアス信号に応じて、その屈折率を変化させる液晶セルを用いて実施することができる。他の実施形態では、遠近調節作動器は、加えられた電界の存在下で屈折率を変化させる電気光学的材料など他のタイプの電気活性材料を用いて、または変形可能なレンズの形状を変化させる電気機械的構造を用いて実施することができる。遠近調節作動器を実施するために使用できる他の例示的な構造は、電気湿潤現象（electro-wetting）光学装置、微小電気機械システム、またはその他のものを含む。
【００１５】
[0021]  図１は、本開示の実施形態による、外部の読取り装置１０５と共に、自動遠近調節を行うための注視追跡を備えた眼に取付け可能なデバイス１００の機能的なブロック図である。眼に取付け可能なデバイス１００の示された部分は、眼の角膜表面に接触して取り付けられるように形成された可撓性のあるレンズ閉鎖容器１１０である。基板１１５は、可撓性のあるレンズ閉鎖容器１１０内に組み込まれている、またはそれにより囲まれており、電源１２０、コントローラ１２５、センサシステム１３５、アンテナ１４０、および様々な相互接続１４５および１５０のための取付け面を提供する。遠近調節作動器１３０は、可撓性のあるレンズ閉鎖容器１１０内に組み込まれ、かつコントローラ１２５に結合されて、眼に取付け可能なデバイス１００の装着者に自動遠近調節を提供する。電源１２０の示された実施形態は、エネルギー収集（harvesting）アンテナ１５５、充電回路１６０、および電池１６５を含む。コントローラ１２５の示された実施形態は、制御論理１７０、遠近調節論理１７５、および通信論理１８０を含む。読取り装置１０５の示された実施形態は、プロセッサ１８２、アンテナ１８４、およびメモリ１８６を含む。
【００１６】
[0022]  コントローラ１２５は、センサシステム１３５からのフィードバック制御信号を受け取るように結合され、また遠近調節作動器１３０を動作させるようにさらに結合される。電源１２０は、動作電圧を、コントローラ１２５および／または遠近調節作動器１３０に供給する。アンテナ１４０は、コントローラ１２５により動作されて、眼に取付け可能なデバイス１００との間で情報を伝達する。一実施形態では、アンテナ１４０、コントローラ１２５、電源１２０、およびセンサシステム１３５は、すべて組み込まれた基板１１５上に位置する。一実施形態では、遠近調節作動器１３０は、可撓性のあるレンズ閉鎖容器１１０の中心領域内に組み込まれるが、基板１１５上に配置されない。眼に取付け可能なデバイス１００は、電子装置を含み、かつ眼に対して接触して取り付けられるように構成されるので、それはまた、本明細書では、眼の電子装置プラットフォーム、コンタクトレンズ、またはスマートコンタクトレンズとも称される。
【００１７】
[0023]  接触した取付けを容易にするために、可撓性のあるレンズ閉鎖容器１１０は、湿った角膜表面に（例えば、角膜表面を覆う涙液層による毛細管力により）貼り付かせる（「取り付ける」）ように構成された凹面を有することができる。さらに、または代替的に、眼に取付け可能なデバイス１００は、凹形の湾曲により、角膜表面と可撓性のあるレンズ閉鎖容器１１０との間の真空力により貼り付くことができる。凹面を用いて眼に取り付けられているが、可撓性のあるレンズ閉鎖容器１１０の外側を向いている表面は、凸形の湾曲を有することができ、それは、眼に取付け可能なデバイス１００が眼に取り付けられている間、眼瞼運動を干渉しないように形成される。例えば、可撓性のあるレンズ閉鎖容器１１０は、コンタクトレンズと同様の形状の実質的に透明な湾曲した円板とすることができる。
【００１８】
[0024]  可撓性のあるレンズ閉鎖容器１１０は、コンタクトレンズ、または角膜表面と直接接触することを含む他の眼科用途で使用するために採用されるものなど、１つまたは複数の生体適合性のある材料を含むことができる。可撓性のあるレンズ閉鎖容器１１０は、任意選択により、部分的にこのような生体適合性のある材料から形成することができるが、あるいはこのような生体適合性のある材料を用いた外側コーティングを含むことができる。可撓性のあるレンズ閉鎖容器１１０は、ヒドロゲルおよび同様のものなど、角膜表面を湿らせるように構成された材料を含むことができる。可撓性のあるレンズ閉鎖容器１１０は、装着者の快適さを向上させるために、変形可能な（「非剛性的な」）材料である。いくつかの例では、可撓性のあるレンズ閉鎖容器１１０は、コンタクトレンズにより提供され得るものなど、所定の、視力矯正屈折力を提供するような形状とすることができる。可撓性のあるレンズ閉鎖容器１１０は、ポリマー材料、ヒドロゲル、ＰＭＭＡ、シリコーンベースのポリマー（例えば、フッ素シリコンアクリレート）、または他のものを含む様々な材料から製作することができる。
【００１９】
[0025]  基板１１５は、センサシステム１３５、コントローラ１２５、電源１２０、およびアンテナ１４０を取り付けるのに適した１つまたは複数の表面を含む。基板１１５は、チップベースの回路に対する（例えば、フリップチップ取付けによるなど）取付けプラットフォームとして、かつ／または電極、相互接続、アンテナなどを作成するための、導電性材料（例えば、金、白金、パラジウム、チタン、銅、アルミニウム、銀、金属、他の導電性材料、これらの組合せなど）をパターン化するためのプラットフォームとして使用することができる。いくつかの実施形態では、実質的に透明な導電性材料（例えば、インジウムスズ酸化物、または以下で論ずる可撓性のある導電性材料）は、回路、電極などを形成するために基板１１５上でパターン化することができる。例えば、アンテナ１４０は、基板１１５上に金または他の導電性材料のパターンを付着させることにより形成することができる。同様に、相互接続１４５および１５０は、基板１１５上に導電性材料の適切なパターンを付着させることにより形成することができる。レジスト、マスク、および付着技法の組合せを、基板１１５上に材料をパターン化するために使用することができる。基板１１５は、回路および／または電子装置を閉鎖容器材料１１０内で構造的に支持するのに十分なポリエチレンテレフタレート（「PET」）、または他の材料など、比較的剛性のある材料とすることができる。眼に取付け可能なデバイス１００は、代替的に、単一の基板ではなく、１群の接続されない基板を用いて構成することもできる。例えば、コントローラ１２５および電源１２０を１つの基板に取り付けることができるが、アンテナ１４０およびセンサシステム１３５は、他の基板に取り付けられ、２つのものは、相互接続を介して電気的に接続することができる。
【００２０】
[0026]  基板１１５は、組み込まれる電子装置構成要素に対する取付けプラットフォームを提供するのに十分な半径方向の幅寸法を有する平坦化されたリングとして形成され得る。基板１１５は、眼に取付け可能なデバイス１００の輪郭に悪影響を与えることなく、基板を可撓性のあるレンズ閉鎖容器１１０に組み込むことを可能にするように十分小さな厚さを有することができる。基板１１５は、その上に取り付けられた電子装置を支持するのに適した構造的な安定性を提供するように十分大きな厚さを有することができる。例えば、基板１１５は、約１０ミリメートルの直径、約１ミリメートルの半径方向幅（例えば、外側半径は内側半径よりも１ミリメートル大きい）、および約５０マイクロメートルの厚さを備えたリングとして形成することができる。基板１１５は、任意選択により、眼に取付け可能なデバイス１００の眼への取付け表面（例えば、凸面）の湾曲と整合させることができる。例えば、基板１１５は、内側半径および外側半径を画定する２つの円形セグメントの間の仮想円錐の表面に沿って形成することができる。このような例では、仮想円錐の表面に沿った基板１１５の表面は、その半径で、眼の取付け表面の湾曲とほぼ整合する傾斜面を画定する。
【００２１】
[0027]  いくつかの実施形態では、電源１２０およびコントローラ１２５（ならびに基板１１５）は、眼に取付け可能なデバイス１００の中心から離れて配置することができ、それにより、眼に取付け可能なデバイス１１０の中心を通る眼への光透過との干渉が回避される。その反対に、遠近調節作動器１３０は、中心的に配置されて、眼に取付け可能なデバイス１１０の中心を通る眼に送られる光に対して光学的な遠近調節を適用することができる。例えば、眼に取付け可能なデバイス１００が、凹形に湾曲した円板として形成された場合、基板１１５は、円板の周辺付近に（例えば、外周近くに）組み込むことができる。いくつかの実施形態では、センサシステム１３５は、まぶたの重なりを感知するように周辺に分散された１つまたは複数の別々の静電容量センサを含む。
【００２２】
[0028]  示された実施形態では、電源１２０は、コントローラ１２５を含む様々な組み込まれた電子装置に電力を供給するための電池１６５を含む。電池１６５は、充電回路１６０およびエネルギー収集アンテナ１５５により、誘導的に充電され得る。一実施形態では、アンテナ１４０とエネルギー収集アンテナ１５５は、独立したアンテナであり、エネルギー収集と通信を行うアンテナの各機能を提供する。他の実施形態では、エネルギー収集アンテナ１５５とアンテナ１４０は、誘導性の充電と、読取り装置１０５との無線通信とを行うアンテナの各機能に対して時分割方式（time shared）を使用する同じ物理的なアンテナである。充電回路１６０は、電池１６５を充電するために、取り込まれたエネルギーを調整するための整流器／レギュレータを含むことができるが、あるいは電池１６５を使用しないで直接コントローラ１２５に給電することができる。充電回路１６０はまた、エネルギー収集アンテナ１５５における高周波変動を軽減するために、１つまたは複数のエネルギー格納デバイスを含むこともできる。例えば、１つまたは複数のエネルギー格納デバイス（例えば、コンデンサ、インダクタなど）が接続されて、低域フィルタとして機能することができる。
【００２３】
[0029]  コントローラ１２５は、他の組み込まれた構成要素の動作を構成するための論理を含む。制御論理１７０は、論理的なユーザインターフェース、電力制御機能などを提供することを含む、眼に取付け可能なデバイス１００の動作全体を制御する。遠近調節論理１７５は、センサシステム１３５からのフィードバック信号を監視し、ユーザの現在の注視方向または焦点距離を決定し、かつ適切な遠近調節を提供することに応じて遠近調節作動器１３０を操作するための論理を含む。自動遠近調節は、注視追跡からのフィードバックに基づいて実時間で実施することができるが、あるいはユーザが、特定の遠近調節法（例えば、読むための近視野調節、通常の活動のための遠視野調節など）を選択するのを制御できるようにする。通信論理１８０は、アンテナ１４０を介して読取り装置１０５と無線通信するための通信プロトコルを提供する。一実施形態では、通信論理１８０は、読取り装置１０５から出力された電磁場１７１が存在するとき、アンテナ１４０を介して後方散乱通信を提供する。一実施形態では、通信論理１８０は、後方散乱無線通信のために、アンテナ１４０のインピーダンスを変調するスマートな無線高周波識別装置（RFID）タグとして動作する。コントローラ１２５の様々な論理モジュールは、汎用のマイクロプロセッサ上で実行されるソフトウェア／ファームウェアで、ハードウェア（例えば、特定用途向け集積回路）で、またはその両方の組合せで実施することができる。
【００２４】
[0030]  眼に取付け可能なデバイス１００は、様々な他の組み込まれた電子装置、および論理モジュールを含むことができる。例えば、ユーザに視覚的なフィードバックを提供するために、光源またはピクセル配列を含めることができる。位置、回転、方向、または加速度フィードバック情報をコントローラ１２５に提供するために、加速度計またはジャイロスコープを含めることができる。
【００２５】
[0031]  図２Ａおよび図２Ｂは、本開示の実施形態による、眼に取付け可能なデバイス２００の２つの図を示している。図２Ａは、眼に取付け可能なデバイス２００の上面図であり、図２Ｂは、同じものの斜視図である。眼に取付け可能なデバイス２００は、図１で示された眼に取付け可能なデバイス１００の１つの可能な実装形態である。眼に取付け可能なデバイス２００の示された実施形態は、可撓性のあるレンズ閉鎖容器２１０、リング基板２１５、電源２２０、コントローラ２２５、遠近調節作動器２３０、静電容量性のセンサシステム２３５、およびアンテナ２４０を含む。図２Ａおよび図２Ｂは、必ずしも縮尺を合わせて描かれておらず、例示的な眼に取付け可能なデバイス２００の構成を述べる例示目的だけで示されていることを理解されたい。
【００２６】
[0032]  眼に取付け可能なデバイス２００の可撓性のあるレンズ閉鎖容器２１０が、湾曲した円板として形成されている。可撓性のあるレンズ閉鎖容器２１０は、一方の側面が、眼の角膜表面上に合わせるのに適した凹面２１１を有するように形成される。円板の反対側は、眼に取付け可能なデバイス２００が眼に取り付けられている間、眼瞼運動と干渉しない凸面２１２を有する。示された実施形態では、円形または楕円形の外側縁部２１３は、凹面２１１と凸面２１２を接続する。
【００２７】
[0033]  眼に取付け可能なデバイス２００は、約１センチメートルの直径、および約０．１から約０．５ミリメートルの厚さなど、視力矯正および／または美容コンタクトレンズと同様の寸法を有することができる。しかし、直径および厚さの値は、例示的な目的で提供されるに過ぎない。いくつかの実施形態では、眼に取付け可能なデバイス２００の寸法は、装着者の目の角膜表面の寸法および／または形状に従って選択することができる。可撓性のあるレンズ閉鎖容器２１０は、様々な方法で湾曲した形状を備えて形成することができる。例えば、熱成形、射出成形、遠心鋳造など視力矯正コンタクトレンズを形成するために使用されるものと同様な技法を、可撓性のあるレンズ閉鎖容器２１０を形成するために使用することができる。
【００２８】
[0034]  リング基板２１５は、可撓性のあるレンズ閉鎖容器２１０内に組み込まれる。リング基板２１５は、遠近調節作動器２３０が位置する中心領域から離れた、可撓性のあるレンズ閉鎖容器２１０の外周に沿って位置するように組み込むことができる。示された実施形態では、リング基板２１５は、遠近調節作動器２３０を囲んでいる。リング基板２１５は、眼に近過ぎることにより焦点が合わず、また入射光が眼の光感知部分へと送られる中心領域から離れて配置されるために、視力との干渉はない。いくつかの実施形態では、リング基板２１５は、視覚に対する影響をさらに軽減するために、任意選択により、透明材料から形成することもできる。リング基板２１５は、平坦な円形のリング（例えば、中心化された穴を有する円板）として形成することができる。リング基板２１５の（例えば、半径方向の幅に沿った）平坦な表面は、電子装置を取り付けるための、かつ電極、アンテナ（複数可）、および／または相互接続を形成するために導電性材料をパターン化するためのプラットフォームである。
【００２９】
[0035]  静電容量センサ２３５は、静電容量タッチスクリーンと同様な方法で、まぶたの重なりを感知するように、眼に取付け可能なデバイス２００の周囲に分散される。まぶたの重なりの量および位置を監視することにより、近似的な注視方向および／または焦点距離を求めるために、静電容量センサシステム２３５からのフィードバック信号をコントローラ２２５によって測定することができる。示された実施形態では、静電容量センサシステム２３５は、一連の並列に結合された別々の静電容量素子により形成される。他の実装形態を使用することもできる。
【００３０】
[0036]  遠近調節作動器２３０は、可撓性のあるレンズ閉鎖容器２１０内の中心に配置されて、ユーザの視覚中心における眼に取付け可能なデバイス２００の屈折力に影響を与える。様々な実施形態では、遠近調節作動器２３０は、コントローラ２２５により操作される可撓性のある導電性電極の影響下で、その屈折率を変える要素を含む。その屈折率を変化させることにより、眼に取付け可能なデバイス２００の湾曲した表面の正味の屈折力が変更され、それにより、制御可能な遠近調節が適用される。遠近調節作動器２３０は、様々な異なる光電子要素を用いて実施することができる。例えば、遠近調節作動器２３０は、可撓性のあるレンズ閉鎖容器２１０の中心に配置された液晶（例えば、液晶セル）の層を使用して実施することができる。他の実施形態では、遠近調節作動器２３０は、加えられた電界の存在下で屈折率を変化させる電気光学的材料など、他のタイプの電気的に活性な光学材料を用いて実施することができる。遠近調節作動器２３０は、閉鎖容器材料２１０（例えば、液晶セル）内に組み込まれた別個のデバイスとすることができるが、または制御可能な屈折率を有するバルク材とすることができる。さらに他の実施形態では、遠近調節作動器２３０は、電気信号の影響下で形状を変化させる変形可能なレンズ構造を用いて実施することができる。したがって、眼に取付け可能なデバイス２００の屈折力は、コントローラ２２５から延びる１つまたは複数の電極を介して、電気信号を遠近調節作動器２３０に加えることにより、コントローラ２２５によって制御される。
【００３１】
[0037]  図３は、本開示の実施形態による、眼に取付け可能なデバイス３００を示す分解斜視図である。眼に取付け可能なデバイス３００は、眼に取付け可能なデバイス１００または２００の可能な１つの実装形態であるが、分解斜視図は、様々な構成要素のさらなる細部を示している。眼に取付け可能なデバイス３００の示された実施形態は、前方層３０５および後方層３１０を含む可撓性のあるレンズ閉鎖容器、前方の可撓性のある導電性電極（ANT）３１５、後方の可撓性のある導電性電極（POST）３２０、液晶（「LC」）層３２５、リング基板３３０、電源３３５、コントローラ回路３４０、前方接触パッド３４５、ならびに後方接触パッド３５０（図３では隠されている）を含む。集合的に、ＡＮＴ３１５、ＬＣ層３２５、およびＰＯＳＴ３２０は、コントローラ回路３４０の影響下で操作される遠近調節作動器を形成する。ＡＮＴ３１５の示された実施形態は、接続タブ３６０を含み、またＰＯＳＴ３２０の示された実施形態は、接続タブ３６５を含む。
【００３２】
[0038]  ＡＮＴ３１５およびＰＯＳＴ３２０は、電極に電圧を印加することにより、ＬＣ層３２５を電気的に操作する透明な電極である。ＡＮＴ３１５およびＰＯＳＴ３２０は、折り畳みおよび曲げを含む周期的な機械的応力の存在下であっても、その導電性を実質的に維持する可撓性のある導体である。ＡＮＴ３１５およびＰＯＳＴ３２０は、それぞれ、前方層３０５および後方層３１０の湾曲した表面上へと硬化し、したがって、それに適合される液体の導体材料から形成される。例えば、この液体の導体材料は、導電性微粒子のコロイド状懸濁液とすることができる。これらの導電性微粒子は、カーボンナノチューブ、金属ナノワイヤ（例えば、銀ナノワイヤ）、またはその他のものを含むことができる。他の実施形態では、液体の導体材料は、導電性ポリマーまたは導電性シリコンとすることができる。
【００３３】
[0039]  ＡＮＴ３１５およびＰＯＳＴ３２０は、それぞれ、様々な技法を用いて、前方層３０５および後方層３１０に塗布することができる。一実施形態では、液体の導体材料は、適合された凹形のステンシルを用いて前方層３０５の内側凹面上にスプレーコーティングされ、また適合された凸形のステンシルを用いて後方層３１０の内側凸面上にスプレーコーティングされる。他の実施形態では、スプレーコーティングを、ステンシルを使用せずに能動的に制御することができるが、あるいは一時的なマスクを使用した後に塗布することができる。さらに他の実施形態では、液体の導体材料は、適合する形状の表面を備えたスタンプ上にコーティングされ、スタンプは、次いで、前方層３０５または後方層３１０に押し付けられて、液体の導体材料が転写される。ＡＮＴ３１５およびＰＯＳＴ３２０を、前方層３０５および後方層３１０上でそれぞれ形成し、かつ配置するために、他の塗布技法もまた使用することができる。
【００３４】
[0040]  一実施形態では、ＡＮＴ３１５およびＰＯＳＴ３２０は、望ましい合計のシート抵抗を達成するために、複数の層を構築する材料の塗布および硬化／アニールの反復プロセスの一部として形成される。目標とするシート抵抗は、１００Ωスクウェアから２０００Ωスクウェアの間の範囲とすることができる（例えば、１９０Ωスクウェア）。当然であるが、この範囲外の他の目標シート抵抗を使用することもできる。望ましい目標シート抵抗を達成するための塗布および硬化の反復数は、１から１０の範囲の反復とすることができるが、通常、１から４の範囲の塗布であると予想される。
【００３５】
[0041]  図４Ａ〜図４Ｃは、本開示の実施形態による、眼に取付け可能なデバイス３００内のＡＮＴ３１５およびＰＯＳＴ３２０の例示的な方向付けを示している。図４Ａは、前方層３０５の凹形の内側表面上に形成されたＡＮＴ４０５を示し、図４Ｂは、ＰＯＳＴ３２０の凸形の内側表面上に形成されたＰＯＳＴ４１０を示し、また図４Ｃは、完全に組み立てられた眼に取付け可能なデバイス３００の平面図である。図５は、本開示の実施形態による、ＡＮＴ３１５の接続タブ３６０、およびＰＯＳＴ３２０の接続タブ３６５への電気的な接続を形成するリング基板３３０の一部の側面図である。
【００３６】
[0042]  示された実施形態では、ＡＮＴ３１５は、リング基板３３０の前側に配置された前方接触パッド３４５に電気的に接続するための接続タブ３６０を含む。それに応じて、ＰＯＳＴ３２０は、リング基板３３０の後側に配置された後方接触パッド３５０に電気的に接続するための接触タブ３６５を含む。図５は、接続タブ３６０および３６５と、接触パッド３４５および３５０との間の電気的な接続を向上させるために、それぞれ、導電性接着剤４０５を使用することを示している。導電性接着剤４０５は、銀が充填されたエポキシ、シリコン、もしくはポリウレタン、または他のものなど、様々な異なる材料を用いて実施することができる。導電性接着剤４０５は、眼に取付け可能なデバイス３００の様々な構成部分の異なる可撓性特性にかかわらず、スマートコンタクトレンズを曲げる、または折り畳んだとき、電気的な接続を維持する可撓性のある導電性接着を提供する。
【００３７】
[0043]  示された実施形態では、接続タブ３６０および３６５は、接触パッド３４５、３６５の一方または両方に対して、基板貫通穴用の場所を作るために、互いに対して回転方向にオフセットされている。例えば、示された実施形態では、電源３３５およびコントローラ回路３４０は、リング基板３３０の前側に配置され、したがって、後方接触パッド３５０は、基板貫通穴を用いてコントローラ回路３４０に接続される。
【００３８】
[0044]  図４Ｃは、ＬＣ層３２５の輪郭４１０をさらに示している。ＬＣ層３２０は、ＡＮＴ３１５とＰＯＳＴ３２０の間に配置され、またコントローラ回路３４０によりこれらの電極に電圧が印加されることにより作動される。示された実施形態では、ＬＣ層３２０は、中心領域のより大きな部分にわたって広がっており、ＡＮＴ３１５およびＰＯＳＴ３２０が、互いに短絡しないことを保証する。一実施形態では、透明な絶縁層（例えば、ポリイミド）を、ＬＣ層３２５をＡＮＴ３１５およびＰＯＳＴ３２０から分離するために適用することができるが、他の実施形態では、ＡＮＴ３１５およびＰＯＳＴ３２０は、ＬＣ層３２５との直接接触を形成することができる。さらに、ＡＮＴ３１５およびＰＯＳＴ３２０の両方と共にＬＣ層３２０は、リング基板３３０の内側半径内に含まれ、リング基板３３０の内側縁部と接触しない。一実施形態では、ＡＮＴ３１５およびＰＯＳＴ３２０は約６ｍｍの直径を有し、ＬＣ層３２５は約７ｍｍの直径を有し、また中心領域を画定するリング基板３３０の内側縁部は９ｍｍの直径を有する。リング基板３３０の内側縁部のより大きな直径は、ＡＮＴ３１５とＰＯＳＴ３２０の間に間隙を形成して、リング基板３３０への短絡を阻止する。当然であるが、他の寸法を実施することもできる。
【００３９】
[0045]  図６は、本開示の実施形態による、眼に取付け可能なデバイス１００、２００、または３００を製作するためのプロセス６００を示す流れ図である。プロセスブロックのいくつか、またはすべてのものが、プロセス６００で現れる順序は、限定するものと見なされるべきではない。そうではなくて、本開示の利益を有する当業者であれば、プロセスブロックのいくつかのものは、示されていない様々な順序で、または並列であっても実行できることが理解されよう。
【００４０】
[0046]  プロセスブロック６０５および６１０で、前方層３０５および後方層３１０が、可撓性のあるレンズ閉鎖容器の別々の層として形成される。前方層３０５および後方層３１０は、可撓性のある透明材料でスプレーコーティングされる、または注入される型を用いて形成することができる。可撓性のある透明材料は、ポリマー材料、ヒドロゲル、ＰＭＭＡ、シリコーンベースのポリマー（例えば、フッ素シリコンアクリレート）、またはその他もののうちいずれかを含むことができる。
【００４１】
[0047]  プロセスブロック６１５で、前方層３０５および後方層３１０は、ＡＮＴ３１５およびＰＯＳＴ３２０に対する向上させた接着を行うために、反応しやすい表面を形成するように処理される。一実施形態では、前方層３０５および後方層３１０は、高いイオン化環境でプラズマ処理され、それにより、前方層３０５および後方層３１０の内側表面は化学的に反応しやすくなる。
【００４２】
[0048]  プロセスブロック６２０で、ＡＮＴ３１５およびＰＯＳＴ３２０を形成する液体の導体材料が、前方層３０５の凹形の内側表面に付着され、また後方層３１０の凸形の内側表面に付着される。一実施形態では、液体の導体材料の付着は、凹面および凸面に適合するステンシルの上にスプレーコーティングすることができる。さらに他の実施形態では、液体の導体材料は、前方層３０５および後方層３１０の凹面および凸面にそれぞれ適合する湾曲した表面を備えるスタンプに塗布される。コーティングされたスタンプは、次いで、前方層３０５および後方層３１０の内側表面に押し付けられて、それに対してインクパターンが転写される。液体の導体材料が塗布された後、熱を用いて硬化および／またはアニールされる（プロセスブロック６２５）。
【００４３】
[0049]  液体の導体材料が、導電性微粒子（例えば、ナノチューブまたはナノワイヤ）のコロイド状溶液である実施形態では、アニールは、導電性微粒子を配置する、または敷く（mat-down）のに役立ち、それにより、ＡＮＴ３１５およびＰＯＳＴ３２０の導電性特性を向上させることができる。液体の導体材料を実施するための例示的な市販されている材料は、銀ナノワイヤ、カーボンナノチューブ、ＰＥＤＯＴ：ＰＳＳ、またはその他のものを含む。いくつかの実施形態では、ＡＮＴ３１５およびＰＯＳＴ３２０の、それぞれ、前方層３０５および後方層３１０への一様なコーティングおよび接着を向上させるために、様々な溶剤（例えば、アルコール）、界面活性剤、または賦形剤を液体の導体材料に加えることができる。
【００４４】
[0050]  いくつかの実施形態では、液体の導体材料のいくつかの層は、望ましいシート抵抗が達成されるまで、ＡＮＴ３１５およびＰＯＳＴ３２０の厚さを構築するために反復して塗布され、硬化される（判断ブロック６３０）。これらの反復は、１回の塗布から多数回の塗布にわたることができる（例えば、１０回もの塗布）。しかし、１回から４回までの反復塗布および硬化／アニール工程で、多くの場合に十分であると予想される。
【００４５】
[0051]  プロセスブロック６３５では、導電性接着剤４０５が、リング基板３３０上の接触パッド３４および３５０に塗布される。次に、電源３３５およびコントローラ回路３４０を含むリング基板３３０は、後方接触パッド３５０が、ＰＯＳＴ３２０上の接続タブ３６５と位置合せされた状態で、後方層３１０の凸形の内側表面上に配置される（プロセスブロック６４０）。
【００４６】
[0052]  プロセスブロック６４５では、液晶材料が前方層３０５の凹形の内側表面の中心領域へと供給され、ＡＮＴ３１５を覆う。一実施形態では、液晶材料は、ＬＣ層３２５が、ＡＮＴ３１５またはＰＯＳＴ３２０よりも広いエリアを覆うように、より大きなエリア上に供給される。
【００４７】
[0053]  プロセスブロック６５０では、可撓性のあるレンズ閉鎖容器の２つの半分のもの（前方層３０５および後方層３１０）が共に押し付けられて封止される。２つの半分のものを嵌合させるとき、前方接続タブ３６０と前方接触パッド３４５の間の位置合せを確実に行うように注意する必要がある。一実施形態では、封止を形成するために、嵌合される前方層３０５および後方層３１０の底面縁部もしくはリムに、さらなる可撓性のある閉鎖容器材料が加えられる。最後に、眼に取付け可能なデバイスまたはスマートコンタクトレンズは、配布用のレンズ溶液が封止された容器の中にパッケージされる。
【００４８】
[0054]  要約で述べられているものを含む、本発明の示された実施形態の上記の記述は、網羅的であること、または開示された正確な形態に本発明を限定することは意図されていない。本発明の特定の実施形態および例が、本明細書において例示目的で述べられているが、当業者であれば理解されるように、本発明の範囲に含まれる様々な変更形態が可能である。
【００４９】
[0055]  上記の詳細な記述を考慮すれば、これらの変更形態を本発明に行うことができる。添付の特許請求の範囲で使用される用語は、本明細書で開示された特定の実施形態に本発明を限定するものと解釈されるべきではない。そうではなくて、本発明の範囲は、添付の特許請求の範囲により完全に決定されるべきであり、それは、特許請求の範囲の解釈の確立された基本原則に従って解釈されるべきである。
【図１】
0006356831.tif 000002
【図２Ａ】
0006356831.tif 000003
【図２Ｂ】
0006356831.tif 000004
【図３】
0006356831.tif 000005
【図４Ａ】
0006356831.tif 000006
【図４Ｂ】
0006356831.tif 000007
【図４Ｃ】
0006356831.tif 000008
【図５】
0006356831.tif 000009
【図６】
0006356831.tif 000010